(57)【要約】  【課題】  部品点数が少なく組み込み性に優れた操作パネル付きの記録装置を提供する。  【解決手段】  装置本体の上部に開閉回動可能な操作パネルを備えた記録装置において、操作パネル５０の開閉機構部７０を、操作パネルに組み込まれた、カム面１ｐ、１ｑを有し操作パネルを回動自在に保持する回転支持部材１と、カム面を押圧可能に保持された加圧部材８と、加圧部材をカム面に向けて付勢する弾性部材９と、を具備する機構で構成する。【選択図】  図１５
2007015246.tif 000002
【特許請求の範囲】
【請求項１】
装置本体の上部に開閉回動可能な操作パネルを備えた記録装置において、
前記操作パネルの開閉機構部は、該操作パネルに組み込まれた、カム面を有し該操作パネルを回動自在に保持する回転支持部材と、該カム面を押圧可能に保持された加圧部材と、該加圧部材を前記カム面に向けて付勢する弾性部材と、を有することを特徴とする記録装置。
【請求項２】
前記加圧部材は、開閉動作角度範囲ではカム面に押圧され、前記操作パネルの最大開き角度では前記カム面の段差部に係合することを特徴とする請求項１に記載の記録装置。
【請求項３】
前記カム面は、前記操作パネルの閉じ角度の近傍で該操作パネルを閉じる方向に付勢する段差部を有することを特徴とする請求項１又は２に記載の記録装置。
【請求項４】
前記カム面は前記操作パネルの回動中心と略同心に形成されることを特徴とする請求項１〜３のいずれか１項に記載の記録装置。
【請求項５】
前記操作パネルは、前記回転支持部材を装置本体に位置決め固定することで該装置本体に回動可能に取り付けられることを特徴とする請求項１〜４のいずれか１項に記載の記録装置。
【請求項６】
前記回転支持部材に、前記操作パネルのケーブルやアース線等を前記操作パネルの回動中心と略同心に変形させるような形状のガイド部を設けることを特徴とする請求項１〜５のいずれか１項に記載の記録装置。
【請求項７】
前記回転支持部材は、前記操作パネルより引き出されるケーブルやアース線等を目隠しするためのカバー部を有することを特徴とする請求項１〜６のいずれか１項に記載の記録装置。
【請求項８】
前記操作パネルより引き出される前記アース線は装置本体の上部に連結されることを特徴とする請求項６又は７に記載の記録装置。
【請求項９】
前記ケーブルは、装置本体の上方から挿入してメイン基板に接続されることを特徴とする請求項６〜８のいずれか１項に記載の記録装置。
【請求項１０】
前記操作パネルを開いた状態では、装置本体上部に形成された本体開口部から、記録ヘッド、読取ヘッド又はインクタンクへのアクセス、あるいは記録媒体のジャム処理が可能であることを特徴とする請求項１〜９のいずれか１項に記載の記録装置。
【請求項１１】
前記操作パネルの開閉状態を検知するセンサを有することを特徴とする請求項１〜１０のいずれか１項に記載の記録装置。
【発明の詳細な説明】
【技術分野】
【０００１】
本発明は、プリンタ、複写機、ワードプロセッサ、パーソナルコンピュータ、ファクシミリ等の記録装置に関し、特に本体上部に操作パネルが配された記録装置に関する。
【背景技術】
【０００２】
従来、プリンタやファクシミリ等の記録装置は、記録機構部を内蔵する装置本体とオペレータが種々の操作を行うための操作パネルとを備えており、特に、操作パネルには種々の情報を視覚的にオペレータに知らせるための表示装置が回動自在に取り付けられる。操作パネルが装置本体の上部に配される記録装置においては、用紙等の記録媒体に印刷するための記録ヘッドや原稿等を読み取るための読取ヘッド、さらにはインクタンクなどへのアクセス、あるいは記録媒体のジャム処理のために、操作パネルを回転せしめて適度な角度で保持する必要がある。この動作により装置本体の開口部が現れるので、オペレータは手を挿入して上記のような作業を行うことができる。
【特許文献１】特開２００５−１２４０７４号広報
【発明の開示】
【発明が解決しようとする課題】
【０００３】
上記従来例によれば、次のような解決すべき課題があった。すなわち、第１には、操作パネルと、操作パネルを所定の角度で保持せしめるための保持機構を分離して構成するため、該機構が複雑で部品が大きくなり、結果として装置本体のサイズが大きくなってしまう。第２には、操作パネルと上記保持機構を別々に本体に装着するため、組み込み性が好ましくなかった。第３には、操作パネルを保持するためのロック機構と、操作パネルを所定の位置で保持するためのロック機構が必要となるため、部品点数が多くなってしまった。第４には、ケーブルやアース線等を外観より露出させないため、別部材で覆わなければならなかった。
【０００４】
本発明はこのような技術的課題に鑑みてなされたものであり、本発明の目的は、操作パネルの開閉機構部を操作パネル内に集約することで、部品点数が少なく組み込み性に優れた操作パネル付きの記録装置を提供することである。
【課題を解決するための手段】
【０００５】
本発明は、上記目的を達成するため、装置本体の上部に開閉回動可能な操作パネルを備えた記録装置において、前記操作パネルの開閉機構部は、該操作パネルに組み込まれた、カム面を有し該操作パネルを回動自在に保持する回転支持部材と、該カム面を押圧可能に保持された加圧部材と、該加圧部材を前記カム面に向けて付勢する弾性部材と、を有することを特徴とする。
【発明の効果】
【０００６】
上記構成によれば、操作パネルの開閉機構部を操作パネル内に集約することができ、部品点数が少なく組み込み性に優れた操作パネル付きの記録装置が提供される。
【発明を実施するための最良の形態】
【０００７】
以下、図面を参照して本発明の実施形態を具体的に説明する。なお、各図面を通して同一符号は同一又は対応部分を示すものである。図１２は本発明の一実施形態に係る記録装置の斜視図である。図１３は図１２の記録装置でフロントドア及び給紙カバー等を開けたときの斜視図である。図１２及び図１３において、記録装置１００の上部に回動可能な操作パネル５０が配されており、本実施形態では、操作パネル５０は記録装置の上カバーを形成している。操作パネル５０の上面には各種の操作キーやＬＥＤが配されたパネルカバー１０が接合されている。また、操作パネルには表示装置１６が回動可能に装着されている。なお、本願における記録装置は、プリンタ、複写機、ワードプロセッサ、パーソナルコンピュータ、ファクシミリなど、記録媒体に画像（文字や記号等を含む）を記録可能な装置、並びにこれらの機能を有する複合機器やシステムを含むものである。
【０００８】
記録装置１００は、操作パネル５０で形成される上カバー、左右のサイドカバー１７、１８、左右のフロントカバー１９、２０、フロントドア２１等からなる外装により形成される筐体内部に装置本体（プリント装置や画像読取装置）６０を位置決め固定して構成されている。右側のフロントカバー２０の前面にはメディアカード挿入部を開閉自在に覆うためのカードカバー２２が設けられている。また、右側のフロントカバー２０には、デジタルカメラ等よりデータの受け渡しをするためのコネクタ部２３や、携帯電話からの信号を受け取るための赤外線受光部２４が配されている。２５は給紙カバーであり、４０は給紙カセットである。
【０００９】
図１３において、フロントカバー２１を手前側に回動させると、第２排紙トレイ２９が現れ、この第２排紙トレイの先端部を引き出すことで第１排紙トレイ２８及び補助トレイ３０が露出する。さらに、補助トレイ３０は上下方向に回動可能に第２排紙トレイに保持されているので、オペレータは図１３に示す位置まで回動させる。記録装置１００においては、給紙トレイ２６又は給紙カセットから給紙されたシート状の用紙（原稿を含む）である記録媒体に対し、装置本体６０内を搬送される間に、画像記録や画像読取などの処理が行われる。処理が行われた記録媒体は装置本体から排出され、排出される記録媒体は上記の引き出された排紙トレイの上面に順次積載される。
【００１０】
一方、給紙カバー２５を回動させると、給紙トレイ２６が現れ、同時にサイドガイド２７が自動的に起立する。オペレータは、給紙トレイを上方に引き出し、その上に記録するための記録シートを積載する。積載された記録シートは、装置本体の給紙装置により装置本体内に搬送され、不図示の記録ヘッドの往復走査と不図示の搬送ローラの回転動作に同期して、記録データに基づいて駆動される記録ヘッドにより画像（文字や記号等も含む）を記録される。インクジェット記録装置の場合は、記録ヘッドの吐出口から微小インク滴を吐出することで記録が行われる。なお、本実施形態では、給紙トレイ２６からの給紙動作による記録動作ばかりでなく、図１２に示す給紙カセット４０からも給紙して記録することができる。
【００１１】
図１４は図１２の記録装置で表示装置を回転させカードカバーを開けたときの斜視図であり、操作パネル５０に回動自在に取り付けられた表示装置１６は、オペレータによって視認しやすい位置に回転させて保持することができる。表示装置１６で種々の情報を表示し、視覚的にオペレータに伝えることができる。一方、記録装置の右側のフロントカバー２０には、カードカバー２２が開閉自在に取り付けられている。カードカバー２２を開くと、メモリカード等の各種のメディアカード３９を挿入できる開口部が現れる。オペレータは、例えば画像データが格納されたメディアカードを開口部に挿入することにより、デジタルカメラが撮った画像を表示装置１６に写し出すこともできる。
【００１２】
図１５は図１２の記録装置で操作パネルを最大角度まで回転させたときの斜視図である。装置本体６０内のインクタンク３３や記録ヘッドや読取ヘッドの保守点検や交換の際には、操作パネル５０を図示の位置まで回転させる。操作パネルは、後述する回転支持部材１、加圧部材８及び弾性部材９等からなる開閉機構部７０によって、装置本体の上部に回動自在に取り付けられている。操作パネルを回動させると、装置本体６０の開口部６２が現れ、操作パネルの下部に設けられたカバーセンサ７（図１１）が動作し、記録ヘッドやインクタンク（インクカートリッジ）等を積載したキャリッジ３２が開口部のほぼ中央部に移動してくる。オペレータは、必要に応じて、開口部を通してインクタンク３３の交換等を行うことができる。なお、開口部６２からは、インクタンクの交換ばかりでなく、記録ヘッドや読取ヘッドの交換や、記録シートのジャム処理や、本体内部のクリーニングなども行うことができる。
【００１３】
図１は操作パネル５０を斜め下方から見た斜視図であり、図２は図１の操作パネルを斜め上方から見た斜視図である。図１及び図２において、１は回転支持部材、２は操作パネルの上ケース、３は操作パネルの下ケース、４はフレキシブルフラットケーブル等の電気ケーブル、５及び６はアース線、７はカバーセンサ、１０はパネルカバーである。回転支持部材１は、操作パネル５０を装置本体６０の本体シャーシ３１に対して回動自在に取り付けるためのヒンジを構成するものである。ケーブル４は、操作パネル５０の内部に装着されるパネル基板３６（図１１）上の電気部品を装置本体の制御基板に接続するためのフレキシブル配線である。カバーセンサ７は、操作パネル５０の開閉を検知する開閉スイッチからなるセンサである。パネルカバー１０は、操作キー等の機能表示を印刷されたローカルパネルであり、各国語に容易に交換できる（仕向け地対応）構造になっている。
【００１４】
図２において、操作パネル５０の上ケース２のパネルカバー１０の領域には、各種の操作キー１１、１３、１４、操作ＬＥＤ１２、パワーキー１５などが露出するように配されている。また、上ケース２には、表示装置１６が回動自在に取り付けられている。オペレータが記録装置を使用するときには、操作キー１１、１３、１４、１５を押し下げる。また、操作ＬＥＤ１２は、記録装置の稼働状態等を示したり、エラー等が発生したときに点灯したり点滅することでオペレータにその旨を知らせる。
【００１５】
操作パネル５０は、回転支持部材１、加圧部材８及び弾性部材９等からなる開閉機構部７０を下ケース３に組み付けてユニット化するとともに、上ケース２の内部に各種電気部品を装着してユニット化した後、上ケース２と下ケース３を互いに位置決め固定して組み立てられる。こうして構成された操作パネルは５０、回転支持部材１を装置本体６０（その本体シャーシ３１）に固定することにより、装置本体に対して回動自在に取り付けられる。その際、操作パネルから引き出されたケーブル４は装置本体のメイン基板に接続され、引き出されたアース線５、６は装置本体の本体シャーシ３１に連結（接続）される。
【００１６】
図３は図１及び図２の操作パネルの下ケースに開閉機構部７０を装着して斜め上方から見た斜視図である。図８は図１の操作パネルの下ケースを斜め上方から見た斜視図である。図６は図１〜図３中の回転支持部材の斜視図であり、図７は図３中の加圧部材を斜め下方から見た斜視図である。図１９は図７の加圧部材に弾性部材を挿入したときの斜視図である。図３の下ケース３に装着される開閉機構部７０においては、回転支持部１に形成された軸受１ａａ、１ｂｂに、下ケース３に形成された回転軸（軸部）３ｃ、３ｄが回動自在に嵌合されている。これにより、回動自在なヒンジが構成される。一方、下ケース３には、その２箇所に加圧部材装着用の空間３ａ、３ｂが形成されている。これらの空間のそれぞれに対して、加圧部材８が弾性部材９を格納した状態で装着される。
【００１７】
この装着状態では、各加圧部材８は、空間３ａ、３ｂに沿って前後方向に摺動自在に取り付けられており、弾性部材９の一端が下ケース側の壁面に当接するとともに他端が加圧部材の内壁面に当接している。このため、下ケース３に回転支持部材１を回動可能に嵌合した状態では、各加圧部材８の先端８ａは、弾性部材９のばね付勢力によって、回転支持部材１に形成されたカム面１ｐ、１ｑに所定の押圧力で押圧されている。これらのカム面は、回転支持部材の２箇所に設けられた回転支持部１ａ、１ｂの外周面に形成されている。こうして、回転支持部材１、加圧部材８及び弾性部材９を有する開閉機構部７０によって、操作パネル５０は装置本体６０に対して開閉回動自在に取り付けられる。その際、加圧部材がカム面に押圧されることで、操作パネルは途中の任意の位置に保持可能である。  
【００１８】
図４は図１及び図２の操作パネルの上ケースに各種電気部品を装着した上ケースユニットを斜め下方から見た斜視図である。図９は図１の操作パネルの上ケースを斜め上方から見た斜視図である。図１１は１及び図２の操作パネルの内部構造を上ケースを外して上方から見た斜視図である。パネル基板３６上には図１１に示すように操作キー１１、１３、１４、操作ＬＥＤ１２、パワーキー１５などの各種の電気部品が搭載されている。このパネル基板はパネル板３７（図４）上に装着されている。そして、パネル板３７は、パネル基板３６及び電気部品を内蔵するようにして、上ケース２の裏面に位置決め固定される。
【００１９】
また、表示装置１６は、パネル板３７（図４）の上面に回動自在に取り付けられている。このように構成された上ケースユニット（図４）と前述した下ケースユニット（図３）とを接合した状態で互いに位置決め固定することにより、操作パネル５０が構成される。上ケース２の裏面の空間には、図１１に示すようなレイアウトで操作キー１１、１３、１４、操作ＬＥＤ１２、パワーキー１５などの各種の電気部品が配されている。図１１において、カバーセンサ７は、上ケース２の所定位置に取り付けられ、リード線によってパネル基板３６と接続されている。このとき、操作パネル内の各種電気部品に接続されたフレキシブルなパネルケーブル４及びアース線５、６は所定長さ分だけパネル基板３６から延び出している。
【００２０】
図５は図１及び図２の操作パネルの閉じ位置と開き位置を同時に示す斜視図である。図１０は図１及び図２の操作パネルの閉じ位置と開き位置を同時に示す概略縦断面図であり、開閉機構部７０の動作を示すものである。図１及び図２に示す操作パネル５０の組立体は、回転支持部材１を装置本体の上部に位置決め固定することにより、図５及び図１０に示すように開閉回動自在に取り付けられ、一定の角度範囲で所定の回転摩擦抵抗により任意の回転位置で保持される。
【００２１】
図６及び図８において、回転支持部材１の左右には回転支持部１ａ、１ｂが形成され、それぞれの側面には下ケース３の回転軸３ｃ、３ｄに嵌合する軸受部１ａａ、１ｂｂが形成されている。回転支持部１ａ、１ｂの前面側の周面にはカム面１ｐ、１ｑがそれぞれ形成されている。中央部近傍には、装置本体６０（その本体シャーシ３１）の上面に位置決め固定するためのねじ孔１ｆ、１ｇ及び位置決め孔１ｈ、１ｉが形成されている。また、左右の端部近傍にはアース線５、６を覆うためのカバー部１ｃ、１ｄが形成されている。一方のカバー部１ｄはフレキシブルフラットケーブル（ＦＦＣ）４を覆うように形成されている。そして、カバー部１ｄの後部にはケーブル４をカバー部１ｄの裏側へ通すための進入口１ｊが形成されている。また、カバー部１ｄの裏面にはケーブル４を保持する（止める）ための固定爪１ｅが形成されている。
【００２２】
進入口１ｊにフレキシブルフラットケーブル４が進入すると、このフレキシブルフラットケーブルが湾曲し、回転支持部１ｂと略同心の曲率を形成することができる。さらに、ケーブル４をカバー部１ｄの裏側に回り込ませ、適度な位置でこのケーブルを折り曲げて、ケーブルの端部を固定爪１ｅに挿入する。このようにしてケーブル４を固定すれば、操作パネル５０を装置本体に組み込む際、ケーブル４がふらつくことがなくなり、組み立て性が向上する。さらには、操作パネル５０を回転させたとき、ケーブル４がカバー部１ｄからはみ出すことはなくなる。
【００２３】
図７、図１０及び図１９において、加圧部材８は略コの字形状をしており、その内部に圧縮コイルスプリングからなるばね付勢手段としての弾性部材９が挿入されている。この弾性部材９は、一端部で加圧部材の壁面部に当接するとともに他端で下ケース３のばね支持部３ｐに掛止されることで所定量だけ圧縮変位されている。そのため、下ケース３の空間部３ａ、３ｂ内にスライド可能に収納された加圧部材８の先端部８ａが回転支持部材１のカム面１ｐ、１ｑに所定の圧接力で摺動可能に当接されている。このような構造によって、操作パネル５０は、図１０に示すように、下ケース３に装着された開閉機構部７０を介して、装置本体６０（図１５）に対して一定の角度範囲で回動可能でかつ任意の位置に保持可能に取り付けられている。
【００２４】
次に図８及び図９を参照して下ケース３及び上ケース２の詳細構造について説明する。下ケース３の左右には、加圧部材８及び弾性部材９を格納するための空間部３ａ、３ｂ、並びに、回転支持部材１の軸受部１ａａ、１ｂｂと回転自在に嵌合する軸部（回転軸）３ｃ、３ｄが形成されている。下ケース３の手前側の３箇所には爪３ｇが形成され、上ケース２の手前側の３箇所には爪３ｇと係合するリブ２ｃが形成されており、両ケースの位置決めが行われる。下ケース３の後部の左右には孔３ｈ、３ｉ、３ｊ、３ｊが形成されている。一方、上ケース２の後部の左右にはリブ２ｄ、２ｄ及びボス２ｅ、２ｅが形成されている。
【００２５】
そこで、上ケース２と下ケース３は、手前側で各爪３ｇを各リブ２ｃに係合させるとともに、後部では孔３ｈ、３ｉにリブ２ｄ、２ｄを嵌合させ、かつ孔３ｊを通して挿入したねじをボス２ｅ、２ｅにねじ締結することにより、互いに位置決め固定される。なお、上ケース２にはボス部２ｆ、２ｇ（図９）が形成され、下ケース３にはボス部３ｍ、３ｎが形成されている。上ケースのボス部２ｆ、２ｇは、パネル基板３６及び各種電気部品を支持するためのパネル板３７を上ケースの裏面に締結するためのねじ止め部として使用可能である。
【００２６】
上ケース２には、操作パネル５０を装置本体６０の本体シャーシ３１にねじ止めするためのドライバーを挿入するための貫通孔２ａ、２ｂが形成されている。また、下ケース３の後部には、アース線５、６を導出するための溝３ｅ、３ｆが形成されている。ここで、上ケース２に装着されるアース線５を溝３ｆに、アース線６を溝３ｅにそれぞれ沿わせて下ケース３に装着すると、溝３ｅ、３ｆが適度な曲率で湾曲しているので、操作パネル５０を回転したとき、アース線５、６及は操作パネルの回転中心と略同心に変形させることができる。また、上ケース２に装着されるケーブルであるパネルフレキシブルフラットケーブル（パネルＦＦＣ）４は下ケース３の後右部に形成された出口部３ｋより引き出される。
【００２７】
次に図１０を参照して、操作パネル５０の開閉機構部７０の詳細について説明する。本実施形態における開閉機構部７０は、下ケース３に装着された回転支持部材１、加圧部材８及び弾性部材９などによって構成されている。図１０において、回転支持部材１のカム面１ｐ、１ｑは操作パネル５０の回転中心と略同心に形成される。前述したように加圧部材８は弾性部材９によって内壁を付勢され、先端部８ａがカム面に押圧されている。操作パネル５０を閉じたときは、加圧部材の先端部がカム面の下端位置Ｐ１に押圧される。ここでは、カム面は先端８ａを下方に付勢するような形状、例えば段差部１ｔを有する形状を呈しており、操作パネルは閉じ方向に付勢される。従って、操作パネル５０に対してロック効果が生じ、記録装置を立てたときなどでも、操作パネルが不意に開くことを防ぐことができる。加圧部材８の先端部８ａがカム面１ｐ、１ｑを通過するときは、弾性部材８の復元力により所定の摩擦力が発生し、操作パネルを任意の位置で保持することができる。
【００２８】
さらに、加圧部材８の先端部８ａがカム面の上端位置Ｐ２に到達したときは、カム面に形成された段差部１ｓによって、先端部が下方へ移動することを防止できる。すなわち、この位置に操作パネルが回転したときは、例えば装置本体が揺れた場合でも、操作パネルが不意に閉じることはない。オペレータがこの位置まで操作パネルを回動させると、安全にインクタンクの交換や紙ジャムの処理などの作業を行うことができる。すなわち、操作パネルが不意に閉じてオペレータの手を挟むことはない。操作パネル５０を閉じるときは、各先端８ａが各カム面の段差部１ｓを乗り越えるだけの力を加えるだけで良い。先端８ａ、８ａがカム面１ｐ、１ｑを通過するときも適度な摩擦力を有しているので、急に操作パネルが閉じることはない。また、先端８ａがカム面の下端位置の段差部１ｔに到達したときは、オペレータの手が本体開口部６２に挿入するほどのスペースはないので、手を挟むことはない。
【００２９】
図１６は本発明の一実施形態に係る記録装置でサイドカバーを外したときの斜視図である。図１７は図１６の記録装置でケーブル及びアース線が回転支持部材と略同心に変形した状態を操作パネルの上下のケースを省略して示す斜視図である。図１８は図１６の状態から操作パネルを取り外したときの斜視図である。操作パネル５０を取り付ける前の記録装置は図１８に示すような状態になっており、本体上ケース３４からは、本体シャーシ３１のねじ止め部３１ａ、３１ｂが露出している。さらに、本体上ケース３４の後部右側にはフレキシブルケーブル４をメイン基板（不図示）に接続するための開口部３４ｃが形成されている。なお、３５は本体下ケースを示す。
【００３０】
操作パネル５０を本体シャーシ３１に固定することで本体ケース３４に組み込む際は、表示装置１６を立て、操作パネルに装着された回転支持部材１の位置決め孔１ｈ、１ｉを本体シャーシのボス部３１ｃ（２箇所）のそれぞれに挿入する。さらに、上ケース２に形成された貫通孔２ａ、２ｂからねじを挿入し、回転支持部材１に形成されたねじ止め部（ねじ孔）１ｆ、１ｇを本体シャーシのねじ止め部３１ｄ（２箇所）のそれぞれにねじ締結する。なお、本体シャーシ３１のねじ止め部３１ｄは装置本体の上面に位置するため、本体上ケース３４の裏面を本体シャーシ３１の上面で補強することになり、操作パネル５０を装着して回転させる際の取り付け部の変形を低減することができる。
【００３１】
操作パネル５０を装置本体６０の上部にねじ止めして取り付けた後は、フレキシブルフラットケーブル４を開口部３４ｃより挿入し、メイン基板に接続する。また、アース線５は本体シャーシ３１のねじ止め部３１ｂに、アース線６は本体シャーシのねじ止め部３１ａに、それぞれねじ止めして連結される。ここで、ケーブル４及びアース線５、６は、回転支持部材１のカバー部１ｃ、１ｄの裏面を通過する。そのため、サイドカバー１７、１８を装置本体６０に装着したとき、サイドカバーの突き出し部がこれらのカバー部の上を塞ぐことになる。同時にケーブル４はカバー部の裏面で固定爪１ｅにより保持される。これにより、ケーブル４及びアース線５、６が外部から見えない状態で這いまわされ、記録装置１００の外観を向上させることができる。
【００３２】
なお、図１７においては、電気部品を内蔵した操作パネル５０から上ケース２を取り外した関係から、ケーブル４及びアース線５、６の操作パネル５０側の接続端部は宙に浮いた状態で示されている。図６及び図１７において、回転支持部材１の一端部に形成されたカバー部１ｃは、アース線６を、操作パネル５０の回動中心（軸受部１ａａ及び１ｂｂの軸心）と略同心に変形させるような形状のガイド部となっている。また、回転支持部材１の他端部に形成されたカバー部１ｄは、アース線５及びケーブル４を、操作パネル５０の回動中心と略同心に変形させるような形状のガイド部となっている。
【００３３】
以上説明した実施形態によれば、回転支持部材１や加圧部材８等からなる操作パネル５０の開閉機構部７０を操作パネル５０の内部に集約し、回転支持部材に信号ケーブル等の保持形状及び目隠しとなるカバー部１ｃ、１ｄを形成することにより、小型軽量化で組み込み性に優れた操作パネル付きの記録装置が提供される。
【００３４】
なお、以上の実施形態では、往復移動するキャリッジ３２で記録媒体を主走査するシリアルタイプの記録装置を例に挙げて説明したが、本発明は、フルラインヘッド等を用いて紙送りによる副走査のみを行うラインタイプの記録装置においても同様に適用可能であり、同様の作用効果を奏するものである。また、本発明は、プリント装置に適用する場合、記録ヘッドの吐出口からインクを吐出して記録するインクジェット式の他、熱転写式、感熱式、レーザビーム照射式、ワイヤドット式など、記録方式の如何に関わらず適用可能なものであり、同様の作用効果を奏するものである。
【００３５】
また、本発明は、ヘッドの数や種類にも関係なく、同様に適用することができ、同様の効果を達成し得るものである。さらに、本発明は、プリンタ、複写機、ファクシミリ、撮像画像形成装置などの単体装置のみならず、これらを組み合わせた複合装置、あるいはコンピュータシステムなどの複合装置における記録装置としても広く適用可能であり、同様の作用効果を奏するものである。
【図面の簡単な説明】
【００３６】
【図１】本発明の一実施形態に係る記録装置の操作パネルを斜め下方から見た斜視図である。
【図２】図１の操作パネルを斜め上方から見た斜視図である。
【図３】図１及び図２の操作パネルの下ケースに回転支持部材及び加圧部材等の開閉機構を装着した下ケースユニットを斜め上方から見た斜視図である。
【図４】図１及び図２の操作パネルの上ケースに各種電気部品を装着した上ケースユニットを斜め下方から見た斜視図である。
【図５】図１及び図２の操作パネルの閉じ位置と開き位置を同時に示す斜視図である。
【図６】図１〜図３中の回転支持部材の斜視図である。
【図７】図３に示す操作パネルの加圧部材を斜め下方から見た斜視図である。
【図８】図１の操作パネルの下ケースを斜め上方から見た斜視図である。
【図９】図１の操作パネルの上ケースを斜め上方から見た斜視図である。
【図１０】図１及び図２の操作パネルの閉じ位置と開き位置を同時に示す概略縦断面図である。
【図１１】図１の操作パネルの内部構造を上ケースを外して上方から見た斜視図である。
【図１２】本発明の一実施形態に係る記録装置の斜視図である。
【図１３】本発明の一実施形態に係る記録装置でフロントドア及び給紙カバー等を開けたときの斜視図である。
【図１４】図１２の記録装置で表示装置を回転させカードカバーを開けたときの斜視図である。
【図１５】図１２の記録装置で操作パネルを最大角度まで回転させたときの斜視図である。
【図１６】本発明の一実施形態に係る記録装置でサイドカバーを外したときの斜視図である。
【図１７】図１６の記録装置でケーブル及びアース線が回転支持部材と略同心に変形した状態を操作パネルの上下のケースを省略して示す斜視図である。
【図１８】図１６の状態から操作パネルを取り外したときの斜視図である。
【図１９】図７の加圧部材に弾性部材を挿入したときの斜視図である。
【符号の説明】
【００３７】
１      回転支持部材
１ａ、１ｂ      回転支持部
１ａａ、１ｂｂ      軸受部
１ｃ、１ｄ      カバー部
１ｅ    固定爪
１ｐ、１ｑ      カム面
１ｓ、１ｔ      段差部
２      上ケース
３      下ケース
３ａ、３ｂ      空間部
３ｃ、３ｄ      回転軸（軸部）
３ｅ、３ｆ      溝
３ｋ      出口部
３ｐ      ばね支持部
４        ケーブル
５、６        アース線
７        カバーセンサ
８        加圧部材
８ａ      先端部
９        弾性部材（ばね付勢手段）
１０      パネルカバー
１６      表示装置
３１      本体シャーシ
３２      キャリッジ
３３      インクタンク
３４      本体上ケース
３６      パネル基板
３７      パネル板
５０      操作パネル
６０      装置本体
６２      本体開口部
７０      開閉機構部
【図１】
2007015246.tif 000003
【図２】
2007015246.tif 000004
【図３】
2007015246.tif 000005
【図４】
2007015246.tif 000006
【図５】
2007015246.tif 000007
【図６】
2007015246.tif 000008
【図７】
2007015246.tif 000009
【図８】
2007015246.tif 000010
【図９】
2007015246.tif 000011
【図１０】
2007015246.tif 000012
【図１１】
2007015246.tif 000013
【図１２】
2007015246.tif 000014
【図１３】
2007015246.tif 000015
【図１４】
2007015246.tif 000016
【図１５】
2007015246.tif 000017
【図１６】
2007015246.tif 000018
【図１７】
2007015246.tif 000019
【図１８】
2007015246.tif 000020
【図１９】
2007015246.tif 000021
【手続補正書】
【提出日】平成17年7月11日(2005.7.11)
【手続補正１】
【補正対象書類名】明細書
【補正対象項目名】０００２
【補正方法】変更
【補正の内容】
【０００２】
従来、プリンタやファクシミリ等の記録装置は、記録機構部を内蔵する装置本体とオペレータが種々の操作を行うための操作パネルとを備えており、特に、操作パネルには種々の情報を視覚的にオペレータに知らせるための表示装置が回動自在に取り付けられる。操作パネルが装置本体の上部に配される記録装置においては、用紙等の記録媒体に印刷するための記録ヘッドや原稿等を読み取るための読取ヘッド、さらにはインクタンクなどへのアクセス、あるいは記録媒体のジャム処理のために、操作パネルを回転せしめて適度な角度で保持する必要がある。この動作により装置本体の開口部が露呈するので、オペレータは手を挿入して上記のような作業を行うことができる。
【特許文献１】特開２００５−１２４０７４号公報